(57)【要約】【課題】鋏の静刃を摺動自由に支持する傾斜面上で鋏の先端部を安定して支持して調髪作業を行えるようにする。【解決手段】櫛歯１１，１２の付け根部分に沿う板状の基部１０の表面に、端部から長さ中央部にかけて、鋏の静刃を摺動自由に支持することが可能な出幅を持つ静刃ガイド１３が設けられる。この静刃ガイド１３は、基部１０の端部から長さ中央部に向かうにつれて櫛歯１１，１２に近づくように傾斜する傾斜面１４に形成されると共に、傾斜面１４の長さ方向に沿う複数の箇所に、鋏の先端部を当接させたときのすべりを止めるすべり止め部（凹溝１５）がそれぞれ形成されている。【選択図】図１
2016016049.tif 000002
【特許請求の範囲】
【請求項１】
櫛歯の付け根部分に沿う板状の基部の表面に、端部から長さ中央部にかけて、調髪時に鋏の静刃を摺動自由に支持することが可能な出幅の静刃ガイドが設けられて成る櫛において、
前記静刃ガイドは、前記基部の端部から長さ中央部に向かうにつれて櫛歯に近づくように傾斜する傾斜面に形成されるととともに、前記傾斜面上の長さ方向に沿う複数の箇所に、鋏の先端部を当接させたときのすべりを止めるすべり止め部がそれぞれ形成されて成る調髪用の櫛。
【請求項２】
前記静刃ガイドは、前記基部の両端部から長さ中央部に向かうにつれて櫛歯に近づくように傾斜する傾斜面に形成されている請求項１に記載された調髪用の櫛。
【請求項３】
前記静刃ガイドは、傾斜が異なる２種類の傾斜部が長さ方向に沿って交互に連なる傾斜面に形成されており、前記２種類の傾斜部が連なる複数の箇所に、前記すべり止め部を構成する凹溝がそれぞれ形成されている請求項１または２に記載された調髪用の櫛。
【請求項４】
前記傾斜面上の長さ方向に沿う複数の箇所に、前記すべり止め部を構成する凹部がそれぞれ形成されている請求項１または２に記載された調髪用の櫛。
【請求項５】
前記傾斜面上の長さ方向に沿う複数の箇所に、前記すべり止め部を構成するすべり止め材がそれぞれ取り付けられている請求項１または２に記載された調髪用の櫛。
【発明の詳細な説明】
【技術分野】
【０００１】
本発明は、調髪のために鋏と組み合わせて使用される櫛に関する。
【背景技術】
【０００２】
理容師や美容師が調髪を行う場合には、一般に、櫛により髪を梳きながら調髪対象の毛束を選り分け、選り分けられた毛束の下方に鋏の静刃をあてがい、毛束の上方に動刃を位置させる。そして、静刃側の指を動かさずに、動刃側の指（通常は親指）を動かすことによって、両刃の間に毛束を挟んで切断する。
【０００３】
また、刈り上げる場合など、頭皮に近い箇所に対する調髪を行う場合には、毛先を揃えたいライン（以下「カットライン」という。）に櫛歯の並び方向が沿うように向きを調整した櫛を調髪対象箇所にあてがう。この櫛の基部の表面に静刃の刃面を沿わせることにより、櫛の表側に出た毛束に下方から静刃をあてがい、毛束の上方に動刃を位置させる。そして、静刃の刃線の方向を維持して櫛歯の並び方向に沿って鋏を移動させながら動刃を動かす。
【０００４】
上記の調髪方法は基本的なものであるが、初心者がその基本どおりに調髪を行うのは容易ではない。特に、静刃の刃線の方向を維持した状態で鋏を移動させながら動刃を動かす、という技量を身につけるには修練が必要である。そこで、この技量を持たない者でも容易に調髪を行うことが可能になるように、静刃を摺動自由に支持する静刃ガイドが設けられた櫛が提案されている（たとえば特許文献１を参照。）。
【０００５】
特許文献１に記載の櫛は、櫛歯の付け根の位置が端部から長さ中央部に向かうにつれて櫛歯の先端に近づくように形成されている。櫛歯の付け根部分に沿う板状の基部の表面には、各櫛歯の付け根の並び方向に沿って傾斜する傾斜面を備える静刃ガイドが設けられている。この櫛は、傾斜面に鋏の静刃を支持させることによって静刃の刃線を櫛歯の付け根のカーブに沿わせることができるように構成されている。したがって、傾斜面の傾斜方向がカットラインに沿うように櫛の位置および向きを調整し、静刃を櫛の傾斜面に沿って滑らせながら動刃を動かすことによって、カットラインに沿って毛先を揃えることが可能になる（特許文献１の図８〜図１１を参照。）。
【先行技術文献】
【特許文献】
【０００６】
【特許文献１】特表２０１３−５３９７０２号公報
【発明の概要】
【発明が解決しようとする課題】
【０００７】
静刃の刃線を櫛歯の並び方向に沿わせた状態で静刃を支持するには、鋏の操作部を櫛の側方に位置させる必要があるが、櫛の側方に被施術者の耳がある場合にそのように鋏を支持すると、鋏が耳に当たってしまう。よって、この場合には、施術者は、毛束を支持する櫛の基部の一箇所に静刃の先端部を当接させ、その当接位置を支点に鋏を回動させることによって静刃の刃線の方向を調整して、動刃を動かす。
【０００８】
耳の周囲の毛束の毛先を耳のカーブに沿うように揃えたり、頭部の各所で毛先の方向を細かく調整する場合にも、施術者は、櫛の位置や傾きを適宜調整しながら基部の一箇所に静刃の先端部を当接させ、静刃の刃線が所望の方向に沿うように鋏を回動させてから動刃を動かす。
【０００９】
特許文献１に記載されている櫛の静刃ガイドは、静刃を摺動自由に支持するために傾斜面に形成されているため、この静刃ガイドに静刃の先端部を当接させると、先端部が傾斜面を滑り落ちるおそれがある。したがって、特許文献１に記載の櫛の静刃ガイドに静刃の先端部を当接させて調髪を行うのは困難である。
【００１０】
本発明は上記の問題に着目してなされたもので、鋏の静刃を摺動自由に支持する傾斜面上で鋏の先端部を安定して支持して調髪作業を行えるようにすることを、目的とする。
【課題を解決するための手段】
【００１１】
本発明による櫛は、櫛歯の付け根部分に沿う板状の基部の表面に、端部から長さ中央部にかけて、調髪時に鋏の静刃を摺動自由に支持することが可能な出幅の静刃ガイドを設けたものである。静刃ガイドは、前記基部の端部から長さ中央部に向かうにつれて櫛歯に近づくように傾斜する傾斜面に形成されるとともに、前記傾斜面上の長さ方向に沿う複数の箇所に、鋏の先端部を当接させたときのすべりを止めるすべり止め部がそれぞれ形成されている。
【００１２】
上記構成の櫛によれば、静刃ガイドの傾斜面に鋏の静刃を支持させることにより、静刃の刃線の方向を維持しながら鋏を櫛歯の並び方向に沿って移動させることができる。また鋏が櫛の長さ中央部に近づくにつれて静刃の刃線が櫛歯に近づくので、櫛歯の間に調髪対象の毛束を通してその櫛の静刃ガイドの傾斜面上に鋏の静刃を置き、静刃の刃線が所望の高さになるまで鋏を移動させて動刃を動かすことによって、目的とする高さ位置で毛束を切断することができる。
【００１３】
また、耳の周囲の毛束を調髪する場合や頭部の各所の毛先の方向を細かく調整する場合には、調髪対象の毛束を通した櫛の傾斜面のすべり止め部に静刃の先端部を当接させ、その当接位置を支点として、櫛歯の列に沿う平面内で鋏の操作部を浮かせるようにして、鋏を安定して回動させることができる。
【００１４】
上記の櫛の第１の実施形態における静刃ガイドは、基部の両端部から長さ中央部に向かうにつれて櫛歯に近づくように傾斜する傾斜面に形成されている。この実施形態によれば、利用者は、主として自分の利き手の側にある傾斜面（右利きの人は向かって右側の傾斜面、左利きの人は向かって左側の傾斜面）に静刃を支持させて調髪作業を行うことができるので、調髪作業を楽に行える。なお、太さが異なる２種類の櫛歯が配列された構成の櫛にこの実施形態を適用する場合には、基部の両面にそれぞれ上記構成の静刃ガイドを設けるのが望ましい。
【００１５】
第２の実施形態における櫛の静刃ガイドは、異なる傾斜の２種類の傾斜部が長さ方向に沿って交互に連なる傾斜面に形成されており、前記２種類の傾斜部が連なる複数の箇所に、前記すべり止め部を構成する凹溝がそれぞれ形成されている。この実施形態によれば、凹溝に鋏の先端部を当接させ、その当接位置を支点として櫛歯の並び方向に沿う平面内で鋏を回動させることにより、凹溝内で鋏の先端部を安定して支持しながら静刃の刃線を所望の方向に合わせることができる。
【００１６】
第３の実施形態における櫛では、前記傾斜面上の長さ方向に沿う複数の箇所に、前記すべり止め部を構成する凹部がそれぞれ形成されている。この実施形態によれば、凹部内に鋏の先端部を当接させ、その当接位置を支点として櫛歯の並び方向に沿う平面内で鋏を回動させることにより、凹部内に鋏を安定して支持しながら静刃の刃線を所望の方向に合わせることができる。
【００１７】
第４の実施形態における櫛では、前記傾斜面上の長さ方向に沿う複数の箇所に、前記すべり止め部を構成するすべり止め材がそれぞれ取り付けられている。この実施形態によれば、すべり止め材に鋏の先端部を当接させ、その当接位置を支点として櫛歯の並び方向に沿う平面内で鋏を回動させることにより、すべり止め材の上で鋏を安定して支持しながら静刃の刃線を所望の方向に合わせることができる。
【発明の効果】
【００１８】
本発明の櫛によれば、鋏の静刃を静刃ガイドの傾斜面に支持して、静刃が傾斜面上をすべるように鋏を移動させることによって、静刃の刃線の方向を安定させて動刃を動かすことが可能になり、櫛の表側に出ている毛束を綺麗に切り揃えることができる。また傾斜面のすべり止め部に鋏の静刃の先端部を安定して当接させることができ、その当接位置を支点として鋏を回動させながら静刃の刃線がカットラインに沿うように鋏の向きを調整して調髪を行うことができる。したがって、初心者でも、先に述べた２通りの方法による調髪作業を容易に実施することが可能になる。
【図面の簡単な説明】
【００１９】
【図１】第１の実施例にかかる櫛の外観を示す正面図およびその一部を拡大して示す斜視図である。
【図２】図１のＡ−Ａ線に沿う断面図である。
【図３】鋏の静刃を静刃ガイドの傾斜面に支持して摺動させる例を示す正面図である。
【図４】鋏の先端部を傾斜面に当接させて静刃を回動させる操作を拡大して示す説明図である。
【図５】静刃ガイドの傾斜面の他の構成例を模式的に示す図である。
【図６】第２の実施例にかかる櫛の外観を示す正面図およびその図中のＢ−Ｂ線に沿う断面図である。
【図７】第３の実施例にかかる櫛の外観を示す正面図およびその図中のＣ−Ｃ線に沿う断面図である。
【発明を実施するための形態】
【００２０】
図１（１）は、本発明の一実施例にかかる櫛１の外観を示す正面図であり、図１（２）は、図１の点線で囲んだ部分を拡大して示す斜視図である。また図２は、図１のＡ−Ａ線に沿う断面図である。
【００２１】
この実施例の櫛１では、板状の基部１０の長さ方向に沿って、太さが異なる２種類の櫛歯１１，１２が長さ中央部で分かれるように列設されている。基部１０の両面には、それぞれ鋏２の静刃２１（図３等を参照。）を支持するための静刃ガイド１３を有する台部１７が一体に設けられている。なお、この櫛１は合成樹脂による成形品であるが、これに限らず、木製または金属製としてもよい。
【００２２】
以下では、粗い方の櫛歯１１を「粗歯１１」と呼び、細かい方の櫛歯１２を「密歯１２」と呼び、両者を総称する場合には「櫛歯１１，１２」と言う。また、基部１０から櫛歯１１，１２に向かう方向を上方向とし、櫛歯１１，１２から基部１０に向かう方向を下方向とする。
【００２３】
基部１の各面の台部１７は突出し、静刃ガイド１３は、静刃２１の厚みのほぼ全体を支持可能な出幅を有している。この実施例の静刃ガイド１３は、基部１０の各端部から長さ中央部に向かうにつれて櫛歯１１，１２に近づくように傾斜する一対の傾斜面１４，１４により構成されている。一対の傾斜面１４，１４は線対称の関係になっている。
【００２４】
この実施例の傾斜面１４は、傾斜が異なる２種類の傾斜部１４ａ，１４ｂを長さ方向に沿って交互に連ねた構成のものである。一方の傾斜部１４ａ（以下、「第１傾斜部１４ａ」という。）は、長さ中央部の側から見て下がり傾斜になっている。他方の傾斜部１４ｂ（以下、「第２傾斜部１４ｂ」という。）は第１傾斜部１４ａより傾斜が緩やかで、長さ中央部の側から見て上がり傾斜となっている。第１，第２の各傾斜部１４ａ，１４ｂの傾斜面は基部１０の表面に対して直角をなしている。第１傾斜部１４ａの第２傾斜部１４ｂと連なる部分にはＶ字状の凹溝１５が形成され、第２傾斜部１４ｂの第１傾斜部１４ａに連なる部分には峰部１６が形成されている。各凹溝１５は、鋏２の先端部２１ａ（図３，４を参照。）を当接させたときのすべりを止めるすべり止め部を構成する。
【００２５】
鋏２の静刃２１が傾斜面１４に載せられたときに、図３に示すように、傾斜面１４内の複数の峰部１６が静刃２１に接し、かつ静刃２１の刃線２０が櫛歯１１，１２の並び方向に沿う状態となるように、傾斜面１４の全体の傾斜角度や各傾斜部１４ａ，１４ｂの長さが設定されている。また、図４に示すように、凹溝１５は、静刃２１の先端部２１ａを挿入可能な大きさとなっている。
【００２６】
なお、上記の実施例では、傾斜面１４における各傾斜部１４ａ，１４ｂの長さを一定にすることにより、すべり止め部となる凹溝１５が等間隔で形成されるようにしたが、これに限らず、たとえば端部から傾斜面１４の中間位置までの範囲内の凹溝１５の間隔が、中間位置から長さ中央部までの範囲の凹溝１５の間隔より短くなるようにしてもよい。
【００２７】
図５（１）（２）（３）は、他の構成によるすべり止め部を備える傾斜面１４Ａ，１４Ｂ，１４Ｃを示す。
【００２８】
図５（１）の例の傾斜面１４Ａは、上方（櫛歯１１，１２に向かう方向）に向かって湾曲する第１の湾曲部１０１と、第１の湾曲部１０１より大きな曲率をもって下方に向かって湾曲する第２の湾曲部１０２とを交互に連ねて形成される。第１の湾曲部１０１から第２の湾曲部１０２に連なる部分と、第２の湾曲部１０２から第１の湾曲部１０１に連なる部分との間に、すべり止め部を構成する凹溝１０３が形成されている。
【００２９】
図５（２）の例の傾斜面１４Ｂは、長さ方向に沿う複数の箇所にすべり止め部となる凹部１０４が形成された構成のものである。この凹部１０４は静刃２１の先端部２１ａに応じた径を持ち、断面がＶ字状に形成された穴である。傾斜面１４Ｂの凹部１０４を除く部分は平坦かつ一方向に沿って傾斜している。なお、凹部１０４の形状はＶ字状に限らず、Ｕ字状に湾曲させた穴や底部が平坦な角型の穴など、様々な形状に置き換えることができる。
【００３０】
図５（３）の例では、傾斜面１４Ｃの長さ方向に沿う複数の箇所に、すべり止め材となるゴム板１０５が配備されている。このゴム板１０５は櫛１を成形する工程において傾斜面１４Ｃに埋め込まれたもので、傾斜面１４Ｃのゴム板１０５の埋め込み箇所を除く部分は平坦かつ一方向に沿って傾斜している。
【００３１】
すべり止め材はゴム板１０５に限らず、たとえば、表面が凹凸面に形成された樹脂板を埋め込んでもよい。また、すべり止め材を埋め込む方法に代えて、傾斜面１４Ｃの長さ方向に沿う複数箇所に微小な凹凸を設けてもよい。
【００３２】
図６および図７は、図１〜図４に示した第１実施例の変形例の櫛１Ａ，１Ｂを、正面図および断面図により示したものである。以下、第１実施例に共通する構成には、図中に同じ符号を付すことにより説明を省略し、第１実施例とは異なる構成について説明する。
【００３３】
図６の実施例の櫛１Ａでは、基部１０の各面の向かって右側の端部から長さ中央部までの範囲に限って台部１７Ａが設けられている。すなわち、基部１０の一方の面では粗歯１１の列に対応する範囲に、他方の面では密歯１２の列に対応する範囲に、それぞれ図１と同様の構成の傾斜面１４による静刃ガイド１３Ａが設けられている。
【００３４】
上記の構成の櫛１Ａは、右利きの人用の櫛として提供されるもので、左利きの人に対しては、図６とは反対側、すなわち基部１０の各面の向かって左側の端部から長さ中央部までの範囲に、それぞれ図１と同様の構成の傾斜面１４による静刃ガイドが設けられる。
【００３５】
図６の実施例の構成の櫛１Ａは、台部１７Ａの材料が削減されたことにより、図１の構成の櫛１より軽量となっている。
【００３６】
図７の実施例の櫛１Ｂでは、台部１７を、静刃ガイド１３Ｂの傾斜面１４，１４に沿う逆Ｖ字状に形成したものである。この実施例の櫛１Ｂも、台部１７Ｂの材料が削減されたことにより重量が軽くなっている。
【００３７】
以下、第１実施例の櫛１の静刃ガイド１３の粗歯１１の側の傾斜面１４に鋏２の静刃２１を支持する場合を例に、図３および図４を参照して、この実施例で実施可能な２通りの鋏２の支持状態について説明する。
【００３８】
図３（１）（２）（３）は、粗歯１１の側の傾斜面１４に鋏２の静刃２１を載せて傾斜面１４上を摺動させる例を示している。図中の鋏２は、静刃２１を含む第１部材２０１と動刃２２を含む第２部材２０２とを長さ中央部でネジ２３により連結した公知のもので、鋏２の先端は尖っている。この鋏２の静刃２１を静刃ガイド１３の傾斜面１４に載せると、静刃２１の刃線２０は粗歯１１の並び方向に沿った状態となる。静刃２１を基部１０の端部側から長さ中央部に向かって移動させると、刃線２０の位置が上がってくる。
【００３９】
この実施例の傾斜面１４の各凹溝１５は、静刃２１の尖った先端部２１ａを傾斜面１４に当接させたときに先端部２１ａのすべりを止めるすべり止め部として機能するもので、図４は、凹溝１５を用いて静刃２１の支持状態を変更する例を示している。なお、図４を用いた説明では、基部１０の長さ中央部に向かう方向（図中の左方向）を前方とし、長さ中央部から離れる方向（図中の右方向）を後方とする。
【００４０】
図４（１）において、傾斜面１４に支持されている静刃２１の刃線２０を櫛歯１１，１２の並び方向に対して傾いた状態にするには、静刃２１の先端部２１ａを傾斜面１４に当接させ、その当接位置を支点として、櫛歯１１，１２の並び方向に沿う平面内で鋏２の操作部を浮かせるようにして静刃２１を回動させる。
【００４１】
図４（２）に示す例では、先端部２１ａは、Ｖ字状の凹溝１５の溝壁にあたる第１傾斜部１４ａに当たっており、つぎに静刃２１の回動に応じて後方の溝底の方へと移動し（図４（３））、ついには凹溝１５の溝底に引っ掛かって止まる（図４（４））。
【００４２】
静刃２１の先端部２１ａが第２傾斜部１４ｂに当たった場合も同様に、前方の溝底の方へ移動し、溝底に先端部２１ａが引っ掛かって止まる。
【００４３】
上記のとおり、この実施例では、傾斜が異なる２種類の傾斜部１４ａ，１４ｂを交互に連ねた構成の傾斜面１４によって、鋏２の静刃２１をその刃線２０を櫛歯１１，１２の並び方向に沿わせた状態にして静刃２１を摺動自由に支持する支持状態（以下、「第１の支持状態」という。）と、静刃２１の先端部２１ａを傾斜面１４の凹溝１５に当接させて、静刃２１を回動可能に支持する支持状態（以下、「第２の支持状態」という。）との２通りの支持状態を実現することができる。
【００４４】
上記の第１の支持状態で調髪を行う場合には、調髪対象の毛束の先端部分が櫛歯１１，１２の間から表側に出るように櫛１をあてがい、開いた状態の鋏の静刃２１を傾斜面１４に載せる。これにより、櫛１の表側に出た毛束の下方に静刃２１が位置し、毛束の上方に動刃２２が位置するもので、施術者は、静刃２１を傾斜面１４に沿ってすべらせながら動刃２２を動かして毛束をカットする。
【００４５】
第１の支持状態の場合には、静刃２１の支持位置によって刃線２０の高さが変動するので、施術者は、目的に応じて、傾斜面１４の長さ方向のどの位置に静刃２１を支持するかを選択することができる。
【００４６】
被施術者の耳元や毛先の細かい調整が必要な箇所の毛束を処理する場合には、第２の支持状態で調髪を行うもので、調整対象の毛束を支持する櫛歯１１，１２の近傍の凹溝１５に静刃２１を支持し、静刃２１の刃線２０の方向がカットラインに沿うように静刃２１の先端部２１ａの当接位置を支点として鋏２を回動させつつ動刃２２を動かす。
【００４７】
図４に例示したように、第２の支持状態にするために静刃２１の先端部２１ａを凹溝１５に当接させたとき、当初の当接位置が凹溝１５の溝壁にあたる第１傾斜部１４ａまたは第２傾斜部１４ｂとなると、先端部２１ａは、静刃２１の回動に応じてその傾斜部を下るように移動する。しかし、最終的に、先端部２１ａは凹溝１５の溝底に引っ掛かって止まるので、その位置を支点として静刃２１を安定して回動させることができる。よって、第２の支持状態によれば、施術者は静刃２１の刃線２０を所望の方向に合わせて調髪を行うことができる。
【００４８】
上記の実施例の櫛１では、両面の粗歯１１の列および密歯１２の列に対してそれぞれ上記構成の傾斜面１４が個別に設けられるので、施術者は調髪対象の毛束やカットラインの方向などに応じて、各面の計４つの傾斜面１４の中から利用しやすい傾斜面１４を選択することができる。一般には、施術者の利き手側の傾斜面１４が選択される頻度が高くなると思われる。
【００４９】
図５（１）（２）（３）に示した実施例においても、傾斜面１４Ａ，１４Ｂ，１４Ｃに鋏２の静刃２１を載せることによって、第１の支持状態による調髪作業を実施することができる。
【００５０】
また図５（１）の実施例では、静刃２１の先端部２１ａを凹溝１０３に当接させることによって、第２の支持状態による調髪作業を実施することができる。この実施例でも、静刃２１の先端部２１ａがまず凹溝１０３の溝壁に当たってその壁面の傾斜を下るように移動する場合があるが、その移動は溝底の位置で止まる。よって、凹溝１０３の溝底において先端部２１ａを安定して支持して静刃２１ａを回動させることができ、静刃２１の刃線２０を施術者の所望の方向に調整することができる。
【００５１】
図５（２）の実施例でも、凹部１０４内に静刃２１の先端部２１ａを当接させることによって、第２の支持状態による調髪作業を実施することができる。先端部２１ａがまず凹部１０４の壁部に当たってその傾斜を下るように移動する場合があるが、その移動は凹部１０４の底で止まる。よって、凹部１０４の底において先端部２１ａを安定して支持して静刃２１を回動させることができ、静刃２１の刃線２０の方向を施術者の所望の方向に調整することができる。
【００５２】
図５（３）の実施例でも、ゴム板１０５の上に静刃２１の先端部１４ａを当接させることによって、第２の支持状態による調髪作業を実施することができる。この実施例では、ゴム板の板面のどの位置に先端部１４ａが当たった場合でも、先端部１４ａをその位置に止めることができる。よって、先端部１４ａを最初に当接された位置で安定して支持して静刃２１を回動させることができ、静刃２１の刃線２０の方向を施術者の所望の方向に調整することができる。
【符号の説明】
【００５３】
１，１Ａ，１Ｂ  櫛
２    鋏
１０  基部
１１，１２  櫛歯
１３，１３Ａ，１３Ｂ  静刃ガイド
１４，１４Ａ，１４Ｂ，１４Ｃ  傾斜面
１４ａ  第１傾斜部
１４ｂ  第２傾斜部
１５  凹溝
２０  静刃の刃線
２１  静刃
２１ａ  静刃の先端部
２２    動刃
１０３  凹溝
１０４  凹部
１０５  ゴム板（すべり止め材）
【図１】
2016016049.tif 000003
【図２】
2016016049.tif 000004
【図３】
2016016049.tif 000005
【図４】
2016016049.tif 000006
【図５】
2016016049.tif 000007
【図６】
2016016049.tif 000008
【図７】
2016016049.tif 000009